(57)【要約】【課題】投稿されたコンテンツの中からユーザにとって有益な情報に絞り込み、かつ、その絞り込んだ情報が有利な情報か不利な情報かを容易に判別できるようにした「コンテンツ情報の表示制御装置および表示制御方法」を提供する。【解決手段】検索条件設定部１１により設定された検索条件に基づいてＳＮＳサーバ１００の投稿情報を検索する投稿情報検索部１３と、検索された投稿情報がポジティブ情報かネガティブ情報かを判定する情報判定部１５と、その判定の結果に応じて、ポジティブ情報またはネガティブ情報を識別可能な態様によって投稿情報を表示させる表示制御部１７とを備え、ＳＮＳサーバ１００に記憶された投稿情報の中からユーザにとって有益な投稿情報に絞り込んで表示できるようにするとともに、表示された投稿情報がユーザにとって有利な情報か不利な情報かをユーザが容易に判別できるようにする。【選択図】図２
2015106234.tif 000002
【特許請求の範囲】
【請求項１】
所定の検索条件を設定する検索条件設定部と、
上記検索条件設定部により設定された検索条件に基づいて、サーバに記憶されている投稿情報を検索する投稿情報検索部と、
上記投稿情報検索部により検索された投稿情報がポジティブ情報かネガティブ情報かを判定する情報判定部と、
上記情報判定部による判定の結果に応じて、上記ポジティブ情報であるか上記ネガティブ情報であるかを識別可能な態様で、上記投稿情報検索部により検索された投稿情報を表示させる表示制御部とを備えたことを特徴とするコンテンツ情報の表示制御装置。
【請求項２】
上記検索条件設定部は、キーワードと、当該キーワードに合致する投稿情報が上記ポジティブ情報または上記ネガティブ情報の何れであるかを指定するポジ／ネガ指定の情報とを含んだ検索条件を設定可能であることを特徴とする請求項１に記載のコンテンツ情報の表示制御装置。
【請求項３】
上記検索条件設定部は、上記投稿情報のカテゴリ、キーワードおよび投稿時間と、当該キーワードに合致する投稿情報が上記ポジティブ情報または上記ネガティブ情報の何れであるかを指定するポジ／ネガ指定の情報とを含んだ検索条件を設定可能であることを特徴とする請求項１に記載のコンテンツ情報の表示制御装置。
【請求項４】
地図データに基づいて探索された目的地までの誘導経路を取得する経路取得部を更に備え、
上記検索条件設定部は、現在地よりも上記目的地の方向にある誘導経路から所定距離以内の位置情報に関連付けられた投稿情報であることを条件とするか否かを指定する方向指定の情報を更に含んだ検索条件を設定可能であることを特徴とする請求項２または３に記載のコンテンツ情報の表示制御装置。
【請求項５】
上記投稿情報検索部により検索された投稿情報について、上記情報判定部による判定の結果に基づいて、上記ポジティブ情報であるか上記ネガティブ情報であるかを識別可能なアイコンを生成するアイコン生成部を更に備え、
上記表示制御部は、上記アイコン生成部により生成されたアイコンを、上記投稿情報検索部により検索された投稿情報と関連付けて表示させることを特徴とする請求項１に記載のコンテンツ情報の表示制御装置。
【請求項６】
上記検索条件設定部は、キーワードと、当該キーワードに合致する投稿情報が上記ポジティブ情報または上記ネガティブ情報の何れであるかを指定するポジ／ネガ指定の情報とを含んだ検索条件を設定可能であり、
上記アイコン生成部は、上記投稿情報検索部により合致が検出されたキーワードを文字として含むアイコンを生成することを特徴とする請求項５に記載のコンテンツ情報の表示制御装置。
【請求項７】
上記表示制御部は、上記アイコン生成部により生成されたアイコンを、上記投稿情報に関連付けられた位置情報で示される地図上の位置に表示させることを特徴とする請求項５に記載のコンテンツ情報の表示制御装置。
【請求項８】
上記表示制御部は、上記アイコン生成部により生成されたアイコンを、上記投稿情報に関連付けられた位置情報で示される施設に関連付けて表示させることを特徴とする請求項５に記載のコンテンツ情報の表示制御装置。
【請求項９】
コンピュータの検索条件設定部が、所定の検索条件を設定する第１のステップと、
上記コンピュータの投稿情報検索部が、上記検索条件設定部で設定された検索条件に基づいて、サーバに記憶されている投稿情報を検索する第２のステップと、
上記コンピュータの情報判定部が、上記投稿情報検索部により検索された投稿情報がポジティブ情報かネガティブ情報かを判定する第３のステップと、
上記コンピュータの表示制御部が、上記情報判定部による判定の結果に応じて、上記ポジティブ情報であるか上記ネガティブ情報であるかを識別可能な態様で、上記投稿情報検索部により検索された投稿情報を表示させる第４のステップとを有することを特徴とするコンテンツ情報の表示制御方法。
【発明の詳細な説明】
【技術分野】
【０００１】
本発明は、コンテンツ情報の表示制御装置および表示制御方法に関し、特に、ソーシャルネットワークサービスに投稿されたコメント等のコンテンツ情報をユーザ端末に表示させる際の制御を行う装置に適用して好適なものである。
【背景技術】
【０００２】
近年、インターネット等のネットワークを通じて人と人とのつながりを促進・サポートする、いわゆるソーシャルネットワークサービス（ＳＮＳ）が広く提供されている。ＳＮＳは、ユーザのプロフィールを紹介するプロフィール機能、所望のユーザを検索するユーザ検索機能、コメントやトラックバックなどのコミュニケーション機能、個人的な体験・日記・特定のトピック等を綴るブログ機能などを備えていることが多い。
【０００３】
また、画面表示された地図上に様々な情報を載せることができるようになされたＳＮＳ（以下、地図ＳＮＳという）の事例も増えてきている。例えば、ユーザがコメントを位置情報と関連付けて地図上に投稿できるようにしたサービスが提供されている。また、店舗のクーポン情報を地図上の店舗位置に表示したり、渋滞や通行規制などの交通情報を地図上の該当位置に表示したりするようにしたサービスも提供されている。また、そのようなサービスを提供する機能を備えたナビゲーション装置も提案されている（例えば、特許文献１参照）。
【０００４】
特許文献１に記載のナビゲーション装置では、誘導ルート沿いの施設の施設名称と、ユーザから指定されたカテゴリに対して登録されている検索ワード（例えば、カテゴリ「グルメ」に対して検索ワード「おいしい」）とを検索キーとする検索要求をＳＮＳサーバに発行し、検索キーとマッチする投稿記事を取得し、取得した投稿日時が過去所定期間の投稿記事に重複して含まれる、検索キーとした語句以外の語句をおすすめ対象語句として抽出する。そして、誘導ルート沿いの施設に対応する案内画像中の地図上の位置からの吹き出しの形態で、おすすめ対象語句と、おすすめ対象語句が含まれていた対象投稿記事の数とを含むおすすめ情報を表示する。
【０００５】
一般に、ＳＮＳに投稿されるコンテンツは多量にあり、また色々な種類の情報が氾濫している。そのため、この多量のコンテンツが全て画面に表示されると、その中からユーザが所望の情報を探し出すことが難しくなる。なお、従来のＳＮＳには、ユーザが指定したカテゴリやキーワード、投稿時間などに合致するコンテンツだけを検索して表示させる機能が備えられている。上述した特許文献１にも、この検索機能の一例が開示されている。これらの検索機能を用いれば、多量のコンテンツの中からユーザ所望の情報を容易に取得することが可能となる。
【先行技術文献】
【特許文献】
【０００６】
【特許文献１】特開２０１３−１２７３９９号公報
【発明の概要】
【発明が解決しようとする課題】
【０００７】
しかしながら、検索によって絞り込んだコンテンツだけを画面表示させたとしても、その表示されたコンテンツの中でどれがユーザにとって有利な情報であるか不利な情報であるかは、一見したところ不明である。そのため、従来のＳＮＳでは、投稿された多量のコンテンツに関して、ユーザが自身にとって有利な情報か不利な情報かを容易に判別することができないという問題があった。
【０００８】
本発明は、このような問題を解決するために成されたものであり、ＳＮＳに投稿されたコンテンツの中からユーザにとって有益な情報に絞り込み、かつ、その絞り込んだ情報がユーザにとって有利な情報か不利な情報かをユーザが容易に判別できるようにすることを目的とする。
【課題を解決するための手段】
【０００９】
上記した課題を解決するために、本発明では、ユーザにより設定された検索条件に基づいて投稿情報を検索し、検索された投稿情報がポジティブ情報かネガティブ情報かを判定する。そして、その判定の結果に応じて、ポジティブ情報であるかネガティブ情報であるかを識別可能な態様によって、検索された投稿情報を表示させるようにしている。
【発明の効果】
【００１０】
上記のように構成した本発明によれば、ユーザにより設定された検索条件に基づいて投稿情報が検索されるので、サーバに記憶された投稿情報の中からユーザにとって有益な投稿情報に絞り込むことが可能である。しかも、検索によって絞り込まれた投稿情報が、ポジティブ情報であるかネガティブ情報であるかを識別可能な態様で表示されるので、表示された投稿情報がユーザにとって有利な情報か不利な情報かをユーザが容易に判別することもできる。
【図面の簡単な説明】
【００１１】
【図１】本実施形態によるコンテンツ情報の表示制御装置を適用したＳＮＳシステムの全体構成例を示す図である。
【図２】本実施形態によるコンテンツ情報の表示制御装置の機能構成例を示すブロック図である。
【図３】本実施形態のユーザ端末において検索条件を設定する際に表示される検索条件設定画面の一例を示す図である。
【図４】本実施形態の表示制御部によって投稿情報およびアイコンが表示された画面の一例を示す図である。
【図５】本実施形態の表示制御部によって投稿情報およびアイコンが表示された画面の他の例を示す図である。
【図６】本実施形態の表示制御部によって投稿情報およびアイコンが表示された画面の他の例を示す図である。
【図７】本実施形態によるコンテンツ情報の表示制御装置の動作例を示すフローチャートである。
【発明を実施するための形態】
【００１２】
以下、本発明の一実施形態を図面に基づいて説明する。図１は、本実施形態によるコンテンツ情報の表示制御装置を適用したＳＮＳシステムの全体構成例を示す図である。図１に示すように、本実施形態によるＳＮＳシステムは、ソーシャルネットワークサービスを提供するＳＮＳサーバ１００と、投稿情報等のコンテンツのＳＮＳサーバ１００への登録と閲覧を行うユーザ端末２００とがインターネット３００等の通信ネットワークを介して接続可能に構成されている。
【００１３】
本実施形態の情報提供システムは、ユーザ端末２００からＳＮＳサーバ１００に対してコメント等に関する投稿情報を登録し、登録された投稿情報をユーザ端末２００からの要求に応じて表示させることができるようになされている。ＳＮＳサーバ１００に登録する投稿情報には、その付随情報として、コメントの内容に応じたカテゴリ、投稿時間、投稿した場所を表す投稿位置が付与されている。
【００１４】
ここで、カテゴリは、ユーザによって指定される情報である。例えば、ユーザがユーザ端末２００を操作して、ＳＮＳサーバ１００より提供される投稿用ページからコメントを入力するときに、当該投稿用ページの中で提供される複数の選択肢の中から所望のカテゴリを選択する。また、投稿時間は、投稿情報をユーザ端末２００からＳＮＳサーバ１００に送信する際に、ユーザ端末２００が備える時計機能によって取得される情報である。また、投稿位置は、投稿情報をユーザ端末２００からＳＮＳサーバ１００に送信する際に、ユーザ端末２００が備えるＧＰＳ受信機によって取得される情報である。
【００１５】
ユーザ端末２００からＳＮＳサーバ１００に投稿情報を登録する際には、上述のカテゴリ、投稿時間および投稿位置の付随情報が投稿情報と共にＳＮＳサーバ１００に送信される。ＳＮＳサーバ１００に送信された投稿情報は、その付随情報と共に投稿データベース１０１に記憶される。その後、ユーザ端末２００から投稿情報の表示要求があると、投稿データベース１０１から投稿情報が読み出され、ユーザ端末２００の画面上に表示される。
【００１６】
本実施形態のユーザ端末２００は、画面表示された地図上に投稿情報を重畳して表示させることができるようになされた地図ＳＮＳの機能を有している。例えば、ユーザ端末２００は、地図データに基づいて誘導経路を探索して設定することが可能なナビゲーション装置であり、当該ナビゲーション装置の機能によって画面表示された地図上に、ＳＮＳサーバ１００から取得した投稿情報を重畳して表示させることができるようになされている。
【００１７】
図２は、ユーザ端末２００が備えるコンテンツ情報の表示制御装置１０の機能構成例を示すブロック図である。図２に示すように、本実施形態によるコンテンツ情報の表示制御装置１０は、その機能構成として、検索条件設定部１１、検索条件記憶部１２、投稿情報検索部１３、経路取得部１４、情報判定部１５、アイコン生成部１６および表示制御部１７を備えている。
【００１８】
上記各機能ブロック１１〜１７は、ハードウェア、ＤＳＰ（Digital Signal Processor）、ソフトウェアの何れによっても構成することが可能である。例えばソフトウェアによって構成する場合、上記各機能ブロック１１〜１７は、実際にはナビゲーション装置が有するコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００１９】
検索条件設定部１１は、ユーザによるユーザ端末２００の操作を通じて、所定の検索条件を設定する。検索条件記憶部１２は、検索条件設定部１１により設定された検索条件を記憶する。図３は、ユーザ端末２００において検索条件を設定する際に表示される検索条件設定画面の一例を示す図である。なお、図３（ｂ）に示す設定画面は、図３（ａ）の設定画面において所望のレコード番号の編集ボタンを押下したときに表示される。
【００２０】
図３に示すように、本実施形態において設定可能な検索条件は、図３（ａ）に示す投稿情報のカテゴリ、投稿時間、方向指定およびポジ／ネガ指定と、図３（ｂ）に示すキーワードとを含む。検索条件としてのカテゴリは、例えば交通、天気、食事、買い物、・・・といった投稿情報の内容に応じた種別を示す情報であり、検索条件として設定するキーワードが属するカテゴリを示すものでもある。すなわち、図３のように“交通”というカテゴリを選択して編集した“渋滞”、“事故”、“遅い”などのキーワードは、何れも“交通”カテゴリに属するキーワードになるという意味である。
【００２１】
検索条件としての投稿時間は、指定された時間の範囲内に投稿された投稿情報だけを検索することを条件として示す情報である。図３（ａ）の例において、“交通”カテゴリに対して投稿時間の検索条件を“１時間”としているのは、付随情報として“交通”のカテゴリが付与された投稿情報に関して、現在から遡って直近１時間以内に投稿された投稿情報だけを検索するという意味である。
【００２２】
検索条件としての方向指定は、ナビゲーション装置により誘導経路が設定されている場合に、現在地よりも目的地の方向にある誘導経路から所定距離以内の位置情報に関連付けられた投稿情報であることを条件とするか否かを指定する情報である。すなわち、図３（ａ）の例において、方向指定が“あり”に設定されている場合は、現在地よりも目的地の方向にある誘導経路から所定距離以内の位置情報に関連付けられた投稿情報だけを検索することを意味する。
【００２３】
また、ポジ／ネガ指定は、検索条件として設定されたキーワードに合致する投稿情報がポジティブ情報またはネガティブ情報の何れであるかを指定する情報である。図３の例において、“交通”というカテゴリを選択して編集した“渋滞”、“事故”、“遅い”などのキーワードは、何れもネガティブな投稿情報に関連するものとして定義されている。すなわち、“渋滞”、“事故”、“遅い”のキーワードに合致して検索される投稿情報は、このユーザにとってはネガティブ情報であるという意味である。
【００２４】
投稿情報検索部１３は、検索条件設定部１１により設定され検索条件記憶部１２に記憶された検索条件に基づいて、ＳＮＳサーバ１００の投稿データベース１０１に記憶されている投稿情報を検索する。図３の例では、“交通”、“天気”、“食事”、“買い物”の４つのカテゴリについて検索条件が設定されているので、これら４つのカテゴリが付随情報として付与された投稿情報の中から、投稿時間、方向指定、キーワードの全ての検索条件に合致する投稿情報を検索する。なお、キーワードに関しては部分一致検索を行う。
【００２５】
実際には、投稿情報検索部１３は、検索条件記憶部１２に記憶されている検索条件をＳＮＳサーバ１００に送信して、当該検索条件に合致する投稿情報の検索をＳＮＳサーバ１００に要求する。そして、投稿情報検索部１３は、ＳＮＳサーバ１００において行われた検索によって投稿データベース１０１から抽出された投稿情報、つまり検索条件に合致する投稿情報を、検索結果としてＳＮＳサーバ１００から受信する。
【００２６】
経路取得部１４は、ナビゲーション装置の経路探索部（図示せず）により地図データに基づいて探索された目的地までの誘導経路の情報を取得する。上述の投稿情報検索部１３は、検索条件として方向指定が“あり”に設定されているカテゴリに関しては、現在地よりも目的地の方向にある誘導経路から所定距離以内の位置情報に関連付けられた投稿情報だけを検索する。この場合、投稿情報検索部１３は、検索条件を送信して検索要求を行った結果としてＳＮＳサーバ１００から取得した投稿情報の中から、その投稿情報に付随情報として付与されている投稿位置の情報に基づいて、現在地よりも目的地の方向にある誘導経路から所定距離以内の位置で投稿された投稿情報だけを抽出する。
【００２７】
情報判定部１５は、投稿情報検索部１３により検索された投稿情報がポジティブ情報かネガティブ情報かを判定する。ポジティブ情報かネガティブ情報かの判定は、検索条件記憶部１２に記憶された検索条件として設定されているポジ／ネガ指定の情報を参照することによって行う。例えば、“交通”カテゴリに属する投稿情報で、“渋滞”、“事故”、“遅い”のキーワードがコメント内に含まれるために投稿情報検索部１３により検索された投稿情報は、ポジ／ネガ指定の情報を参照することによってネガティブ情報であると判定する。
【００２８】
アイコン生成部１６は、投稿情報検索部１３により検索された投稿情報について、情報判定部１５による判定の結果に基づいて、ポジティブ情報であるかネガティブ情報であるかを識別可能なアイコンを生成する。例えば、形状、色、大きさなどの違いによって、ポジティブ情報であるかネガティブ情報であるかを識別可能なアイコンを生成する。
【００２９】
ここで生成するアイコンは、ポジ／ネガの識別が可能なものであればどのようなものでも良いが、投稿情報検索部１３により合致が検出されたキーワードを文字として含むアイコンを生成するようにしてもよい。このようにすれば、アイコンは見たユーザは、投稿情報がポジティブ情報であるかネガティブ情報であるかを瞬時に判別できることに加えて、どのような理由によりポジティブまたはネガティブであるのかも同時に判断することができる。
【００３０】
表示制御部１７は、アイコン生成部１６により生成されたアイコンを、投稿情報検索部１３により検索された投稿情報と関連付けてユーザ端末２００の画面上に表示させる。すなわち、表示制御部１７は、このアイコンの表示により、ポジティブ情報であるかネガティブ情報であるかを識別可能な態様で投稿情報を表示させるようにしている。
【００３１】
図４は、表示制御部１７によって投稿情報およびアイコンが表示された画面の一例を示す図である。図４の例では、投稿情報検索部１３により合致が検出されたキーワードの文字を円の中に入れて形成したアイコンが、投稿情報に関連付けられた位置情報（投稿情報に付与された付随情報で示される投稿位置）で示される地図上の位置に表示されている。各アイコンは、その表示色の違いによって、ポジティブ情報であるかネガティブ情報であるかを識別可能に形成されている。
【００３２】
また、投稿情報は、それぞれに対応するアイコンからの吹き出しの形態で表示されている。また、吹き出しの中には、ユーザが投稿したコメントに加えて、現在からどのくらい前の投稿であるかを示す時間情報（例えば“３０分前”という表記）も表示されている。なお、吹き出しの投稿情報は、常に表示された状態としてもよいし、アイコンを選択する操作を行ったときだけ表示するようにしてもよい。
【００３３】
図５は、現在地よりも目的地の方向にある誘導経路から所定距離以内の位置で投稿された投稿情報だけに絞り込んでアイコンを表示した場合の画面例を示す図である。このうち、図５（ａ）は、“交通”カテゴリに関して“渋滞”のキーワードを設定するとともに、そのキーワードを含む投稿情報がネガティブ情報であることを指定した場合に表示される画面例を示している。また、図５（ｂ）は、“交通”カテゴリに関して“抜け道”のキーワードを設定するとともに、そのキーワードを含む投稿情報がポジティブ情報であることを指定した場合に表示される画面例を示している。
【００３４】
ユーザは、図５（ａ）のようなネガティブ情報関連のアイコン表示を見ることによって、現在地より先の誘導経路上に渋滞が生じているという有益な情報を一見して得ることができる。そして、投稿情報のコメントを見てユーザが必要と感じるときは、渋滞を回避する迂回ルートを再探索することができる。また、ユーザは、図５（ｂ）のようなポジティブ情報関連のアイコン表示を見ることによって、空いている可能性の高い抜け道が存在するという有益な情報を一見して得ることができる。そして、投稿情報のコメントを見てユーザが必要と感じるときは、抜け道を通るルートを再探索することができる。
【００３５】
図６は、表示制御部１７によって投稿情報およびアイコンが表示された画面の別の例を示す図である。図６の画面例は、誘導経路の目的地を設定する際に、ナビゲーション装置の周辺検索機能を用いて、自車位置周辺にある指定ジャンル（図６の例はコンビニエンスストア）の施設を一覧表示させた状態を示している。この場合、表示制御部１７は、アイコン生成部１６により生成されたアイコンを、そのアイコンに対応する投稿情報に関連付けられた位置情報（投稿情報に付与された付随情報で示される投稿位置）で示される施設に関連付けて表示させる。
【００３６】
図６の例では、施設一覧の一番上に表示されている“ファミリーマートＡ店”に関連付けて、ユーザが当該ファミリーマートＡ店の位置にいるときに投稿された投稿情報とそれに対応するアイコンとが表示されている。このアイコンは、ネガティブ情報であることを示すものである。また、施設一覧の上から４番目に表示されている“ミニストップＡ店”に関連付けて、ユーザが当該ミニストップＡ店の位置にいるときに投稿された投稿情報とそれに対応するアイコンとが表示されている。このアイコンは、ポジティブ情報であることを示すものである。なお、図６の例においても、吹き出しの投稿情報は、常に表示された状態としてもよいし、アイコンを選択する操作を行ったときだけ表示するようにしてもよい。
【００３７】
図７は、上記のように構成した本実施形態によるコンテンツ情報の表示制御装置１０の動作例を示すフローチャートである。なお、図７に示すフローチャートは、ユーザ端末２００において投稿情報の表示要求のための操作が行われたときに開始する。
【００３８】
ユーザ端末２００において投稿情報の表示要求のための操作が行われると、投稿情報検索部１３は、検索条件記憶部１２に記憶されている検索条件をＳＮＳサーバ１００に送信して、当該検索条件に合致する投稿情報の検索をＳＮＳサーバ１００に要求する（ステップＳ１）。そして、投稿情報検索部１３は、ＳＮＳサーバ１００において行われた検索によって投稿データベース１０１から抽出された投稿情報、つまり検索条件に合致する投稿情報を、検索結果としてＳＮＳサーバ１００から受信する（ステップＳ２）。
【００３９】
なお、検索条件として方向指定が“あり”に設定されているカテゴリについてＳＮＳサーバ１００から取得した投稿情報に関しては、当該ＳＮＳサーバ１００より取得した投稿情報の中から、現在地よりも目的地の方向にある誘導経路から所定距離以内の位置で投稿された投稿情報だけを抽出する。
【００４０】
次に、情報判定部１５は、投稿情報検索部１３により検索された投稿情報の中から１つを特定し（ステップＳ３）、特定した投稿情報がポジティブ情報か否かを判定する（ステップＳ４）。特定した投稿情報がポジティブ情報であると情報判定部１５にて判定した場合、アイコン生成部１６は、当該特定した投稿情報についてポジティブ情報であることを示すアイコンを生成する（ステップＳ５）。
【００４１】
一方、特定した投稿情報がポジティブ情報でない、つまりネガティブ情報であると情報判定部１５にて判定した場合、アイコン生成部１６は、当該特定した投稿情報についてネガティブ情報であることを示すアイコンを生成する（ステップＳ６）。表示制御部１７は、ステップＳ５またはＳ６の何れかでアイコン生成部１６により生成されたアイコンを、ステップＳ３で特定した投稿情報と関連付けてユーザ端末２００の画面上に表示させる（ステップＳ７）。
【００４２】
その後、情報判定部１５は、投稿情報検索部１３により検索された投稿情報の全てについてアイコンの表示が終了したか否かを判定する（ステップＳ８）。そして、まだアイコンの表示が終わっていない投稿情報がある場合、処理はステップＳ３に戻る。一方、検索された投稿情報の全てについてアイコンの表示が終了した場合、図７に示すフローチャートの処理は終了する。
【００４３】
以上詳しく説明したように、本実施形態では、ユーザにより設定された検索条件に基づいて投稿情報を検索し、検索された投稿情報がポジティブ情報かネガティブ情報かを判定する。そして、その判定の結果に応じて、ポジティブ情報であるかネガティブ情報であるかを識別可能なアイコンに関連付けて、検索された投稿情報を表示させるようにしている。
【００４４】
このように構成した本実施形態によれば、ユーザによって設定された所望の検索条件に基づいて投稿情報が検索されるので、ＳＮＳサーバ１００の投稿データベース１０１に記憶された投稿情報の中からユーザにとって有益な投稿情報に絞り込んで表示させることが可能である。しかも、検索によって絞り込まれた投稿情報が、ポジティブ情報であるかネガティブ情報であるかを識別可能なアイコンに関連付けて表示されるので、表示された投稿情報がユーザにとって有利な情報か不利な情報かをユーザが容易に判別することもできる。
【００４５】
なお、上記実施形態では、検索された投稿情報がポジティブ情報であるかネガティブ情報であるかを識別可能にするために、何れの情報であるかを識別可能なアイコンを生成して投稿情報と共に表示させる例について説明したが、本発明はこれに限定されない。例えば、投稿情報の吹き出し自体の形状、色、大きさなどの違いによって、投稿情報がポジティブ情報であるかネガティブ情報であるかを識別できるようにしてもよい。
【００４６】
また、上記実施形態では、投稿情報のカテゴリ、投稿時間、方向指定、ポジ／ネガ指定およびキーワードを含む検索条件を設定する例について説明したが、本発明はこれに限定されない。少なくともポジ／ネガ指定およびキーワードを含む検索条件であれば適用可能である。
【００４７】
ただし、カテゴリを検索条件に含めることにより、カテゴリ毎にポジ／ネガ指定やキーワードを柔軟に設定することができるというメリットがある。また、投稿時間を検索条件に含めることにより、直近の新鮮な投稿情報のみに絞り込んだり、逆に古い投稿情報のみに絞り込んだりすることができるので、ユーザにとってより有益な投稿情報だけに絞り込んで表示させることができる。また、方向指定を検索条件に含めることにより、これから走行する方向に関連する投稿情報のみに絞り込むことができるので、ユーザにとってより有益な投稿情報だけに絞り込んで表示させることができる。
【００４８】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００４９】
１０  コンテンツ情報の表示制御装置
１１  検索条件設定部
１２  検索条件記憶部
１３  投稿情報検索部
１４  経路取得部
１５  情報判定部
１６  アイコン生成部
１７  表示制御部
【図１】
2015106234.tif 000003
【図２】
2015106234.tif 000004
【図３】
2015106234.tif 000005
【図４】
2015106234.tif 000006
【図５】
2015106234.tif 000007
【図６】
2015106234.tif 000008
【図７】
2015106234.tif 000009